(57)【要約】【課題】大当りと小当りの先バレを抑制可能な遊技機の提供を目的とする。【解決手段】本発明の遊技機１０は、特別図柄当否判定の結果が小当りであるときに小当り遊技を実行し、特別図柄当否判定の結果が大当りであるときに大当り遊技を実行する。大当り遊技には、大当り遊技の開始から途中までの態様が小当り遊技の態様と区別困難に構成される特殊大当り遊技が含まれていて、大当り遊技の終了後から次の大当り遊技の開始までの間、表示装置１３の表示画面１３Ｇに遊技者に認識可能な印２２０が表示される。そして、遊技機１０では、小当り遊技の開始から終了までの間、表示画面１３Ｇにおける印２２０の表示が一旦停止され、小当り遊技の終了後に再び印２２０が表示される。【選択図】図４
2018139895.tif 000002
【特許請求の範囲】
【請求項１】
遊技に関する当否判定を行い、前記当否判定の結果が小当りであるときに小当り遊技を実行し、前記当否判定の結果が大当りであるときに大当り遊技を実行する遊技機において、
前記大当り遊技には、その大当り遊技の開始から途中までの態様が前記小当り遊技の態様と区別困難に構成される特殊大当り遊技が含まれていて、
前記大当り遊技の開始から終了までの間、遊技者に認識可能な情報の出力を停止する出力停止手段を有し、
前記出力停止手段は、前記小当り遊技の開始から終了までの間、前記情報の出力を停止する。
【発明の詳細な説明】
【技術分野】
【０００１】
本発明は、小当りとなったときに小当り遊技が実行され、大当りとなったときに大当り遊技が実行される遊技機に関する。
【背景技術】
【０００２】
特許文献１の遊技機では、一部の大当り遊技における大当り遊技開始から途中までの態様が小当り遊技の態様と区別困難に構成されている。
【先行技術文献】
【特許文献】
【０００３】
【特許文献１】特開２０１０−３５６１４号公報（段落［００８２］）
【発明の概要】
【発明が解決しようとする課題】
【０００４】
特許文献１の遊技機では、大当り遊技の開始に伴って表示部に表示されていた情報が消失すると、その情報の有無によって、大当りと小当りの何れに当選したかが先バレするという問題があった。
【０００５】
本発明は、上記事情に鑑みてなされたもので、大当りと小当りの先バレを抑制可能な遊技機の提供を目的とする。
【課題を解決するための手段】
【０００６】
第１の手段は、遊技に関する当否判定を行い、前記当否判定の結果が小当りであるときに小当り遊技を実行し、前記当否判定の結果が大当りであるときに大当り遊技を実行する遊技機において、前記大当り遊技には、その大当り遊技の開始から途中までの態様が前記小当り遊技の態様と区別困難に構成される特殊大当り遊技が含まれていて、前記大当り遊技の開始から終了までの間、遊技者に認識可能な情報の出力を停止する出力停止手段を有し、前記出力停止手段は、前記小当り遊技の開始から終了までの間、前記情報の出力を停止する。
【発明の効果】
【０００７】
上記発明によれば、大当りと小当りの先バレを抑制することが可能となる。
【図面の簡単な説明】
【０００８】
【図１】本発明の一実施形態に係る遊技機の正面図
【図２】遊技盤の正面図
【図３】遊技盤における大入賞口周辺の拡大正面図
【図４】小当り及び特殊大当りの際の表示画面の表示の流れを説明するための図
【図５】小当り及び特殊大当りの際の表示画面の表示の流れを説明するための図
【図６】大当りの際の表示画面の表示の流れを説明するための図
【図７】（Ａ）小当り遊技における大入賞口の開放パターンを示す図、（Ｂ）特殊大当り遊技における大入賞口の開放パターンを示す図
【図８】（Ａ）時短遊技で小当りとなった場合の小当り遊技における大入賞口の開放パターンを示す図、（Ｂ）時短遊技で大当りとなった場合の特殊大当り遊技における大入賞口の開放パターンを示す図、（Ｃ）時短遊技で普通図柄当りとなった場合の普通図柄当り遊技における回動扉の開放パターンを示す図
【図９】遊技機の電気的な構成を示すブロック図
【発明を実施するための形態】
【０００９】
以下、本発明の一実施形態を図面に基づいて説明する。図１に示されるように、本実施形態の遊技機１０はパチンコ遊技機であって、前側が前面枠１０Ｚにて覆われており、その前面枠１０Ｚに形成されたガラス窓１０Ｗを通して遊技盤１１の遊技領域Ｒ１が視認可能になっている。なお、以下の説明において、特記しない限り「右」及び「左」とは、遊技機１０を前方から見た場合の「右」及び「左」を指すものとする。
【００１０】
前面枠１０Ｚのうちガラス窓１０Ｗより下方には、上皿２６と下皿２７が上下２段にして設けられ、下皿２７の右側には操作ハンドル２８が設けられている。操作ハンドル２８を回動操作すると、上皿２６に収容された遊技球が遊技領域Ｒ１に向けて弾き出される。
【００１１】
図２に示されるように、遊技領域Ｒ１は全体が略円形状となっていて、ガイドレール１２により囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。
【００１２】
表示開口１１Ｈの開口縁には、表示装飾枠２３が取り付けられている。表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１３】
表示開口１１Ｈは、遊技領域Ｒ１の横方向の中間且つ上端寄り部分に配置され、遊技領域のうち表示装飾枠２３の左側と右側と下側に、遊技球が流下可能な左側流下領域Ｒ２と右側流下領域Ｒ３と下側流下領域Ｒ４が形成されている。また、表示装飾枠２３の上部には、ガイドレール１２に沿って円弧状に延びた上側円弧壁２５が備えられ、この上側円弧壁２５とガイドレール１２との間に、遊技球が１つずつ通過可能な上側連絡流路２５Ｒが形成されている。さらに、表示装飾枠２３の右側部には、表示開口１１Ｈとガイドレール１２の右側端部との間を隙間なく埋めると共に、上側連絡流路２５Ｒと右側流下領域Ｒ３との間を連絡する連絡流路２４Ｒを有する連絡流路構成部２４が備えられている。
【００１４】
右側流下領域Ｒ３には、始動ゲート１８が設けられている。右側流下領域Ｒ３における始動ゲート１８の下側部分には、大入賞口１５が設けられている。下側流下領域Ｒ４における左右方向の中央部には、第１の始動入賞口１４Ａ、第２の始動入賞口１４Ｂ及びアウト口１６が、上から順に並べて設けられている。また、遊技領域Ｒ１には、始動入賞口１４Ａ，１４Ｂ及び大入賞口１５のほかに、複数の一般入賞口２０が備えられている。各入賞口１４Ａ，１４Ｂ，１５，２０の何れにも入賞しなかった遊技球は、下側流下領域Ｒ４の下端に配置されたアウト口１６に全て取り込まれる。
【００１５】
次に所要の各部位についてさらに詳説する。一般入賞口２０は、所謂、ポケット構造をなして、遊技盤１１の前面から突出した部材の上面又は側面に開放しており、遊技球が丁度１つ入球可能な大きさで開口している。そして、一般入賞口２０に遊技球が入ると、所定数の遊技球が賞球として上皿２６に払い出される。
【００１６】
始動ゲート１８は、遊技球が潜って通過可能な門形構造をなし、遊技球が始動ゲート１８を通過すると普通図柄当否判定が行われる。普通図柄当否判定の判定結果は、図示しない普通図柄表示部に表示される。普通図柄当否判定の判定結果が当りになると、普通図柄当り遊技（以下、「普図当り遊技」と称する。）が実行される。
【００１７】
第１の始動入賞口１４Ａは、一般入賞口２０と同様のポケット構造をなしている。第２の始動入賞口１４Ｂは、前側に開放し、回動扉１４Ｔによって開閉される。具体的には、回動扉１４Ｔは、通常は、鉛直に起立した閉位置に配置され、上述の普通図柄当否判定の結果が当りとなって普図当り遊技が実行されると、下端部を中心に回動し、前倒しとなった開位置に配置される。開位置に配置された回動扉１４Ｔは、上方から流下する遊技球を受け止めて第２の始動入賞口１４Ｂへと案内する。
【００１８】
各始動入賞口１４Ａ，１４Ｂに遊技球が入球すると、所定数の遊技球が賞球として上皿２６に払い出されると共に、特別図柄当否判定が行われる。即ち、本実施形態では、各始動入賞口１４Ａ，１４Ｂに遊技球が入球することで、特別図柄当否判定の判定権利が発生する。特別図柄当否判定の判定結果は、判定権利の使用に伴って、表示画面１３Ｇで報知される。詳細には、判定権利が用いられると、表示画面１３Ｇでは、判定結果の報知に先立って、判定結果に関連した判定演出が行われる。そして、判定結果が当りの場合には、判定演出の終了後、当り遊技状態となって当り遊技が実行される。判定結果が外れの場合には、当り遊技状態ではない通常の遊技状態が続く。
【００１９】
大入賞口１５は、横長矩形に形成されて、通常の遊技状態では、可動扉１５Ｔにて閉塞されている。当り遊技状態となって当り遊技が行われると、可動扉１５Ｔが所定期間に亘って前側に倒されて大入賞口１５が開放し、可動扉１５Ｔを案内にして、大入賞口１５に多くの遊技球が入賞可能となる。大入賞口１５に遊技球が入球すると、所定数の遊技球が賞球として上皿２６に払い出される。当り遊技では、予め設定された回数だけ大入賞口１５が開放されるラウンド遊技が、実行される当り遊技に応じた回数だけ実行される。１回のラウンド遊技は、予め定められた上限数の遊技球が大入賞口１５に入球するか又は予め設定されたラウンド遊技時間が経過すると、終了する。
【００２０】
本実施形態では、特別図柄当否判定の当りとして、小当りと大当りが設けられている。そして、判定結果が小当りの場合には、小当り遊技状態となって小当り遊技が実行され、判定結果が大当りの場合には、大当り遊技状態となって大当り遊技が実行される。小当り遊技と大当り遊技の何れにおいても、大入賞口１５は開放されるが、大当り遊技における大入賞口１５の開放時間は、大入賞口１５への入球が可能な時間に設定されているのに対し、小当り遊技における大入賞口１５の開放時間は、大入賞口１５への入球が困難な時間に設定されている。従って、小当り遊技では、大当り遊技と比べて、遊技者への賞球の付与が困難となっている。
【００２１】
表示画面１３Ｇには、上述したように、特別図柄当否判定に関連した判定演出が表示される。具体的には、表示画面１３Ｇの中央部には、３つの特別図柄１３Ａ，１３Ｂ，１３Ｃが横並びに停止表示されている。これら各特別図柄１３Ａ〜１３Ｃは、例えば、数字や文字等を表記した複数種類のもので構成されており、通常は、各特別図柄１３Ａ〜１３Ｃごと、所定の種類のものが停止表示されている。そして、始動入賞口１４Ａ，１４Ｂに遊技球が入球すると、これら３つの特別図柄１３Ａ〜１３Ｃが、変動表示（例えば、上下方向にスクロール表示）され、所定時間経過後に、例えば、左、右、中の順に停止表示される。そして、停止した特別図柄１３Ａ〜１３Ｃの組合せにより、特別図柄当否判定の判定結果を報知するようになっている、
【００２２】
具体的には、特別図柄１３Ａ〜１３Ｃが全て同じ図柄（ゾロ目）の場合には、大当りであることを示す。また、特別図柄１３Ａ〜１３Ｃが、予め定められた特殊組合せである場合には、小当りか大当りであることを示す。そして、特別図柄１３Ａ〜１３Ｃがゾロ目でも特殊組合せでもない組合せの場合に、外れであることを示すようになっている。
【００２３】
遊技機１０では、通常の遊技状態では、普通図柄当否判定で当りとなる確率は低く設定されていて、大当り遊技の終了後、通常の遊技状態よりも普通図柄当否判定で当りとなる確率が高い「時短遊技」に突入する。即ち、遊技機１０では、大当り遊技を契機として、通常の遊技状態から時短遊技に移行する。そして、遊技機１０では、通常の遊技状態においては、左側流下領域Ｒ２を流下させるように遊技球を打ち出す、所謂、「左打ち」を行い、時短遊技中においては、右側流下領域Ｒ３を流下させるように遊技球を打ち出す、所謂、「右打ち」を行う、というように、２種類の打ち方を遊技者に提供可能となっている。時短遊技は、大当り遊技の終了後に使用される判定権利の数が規定上限数（例えば、１００）に達するか、或いは、その時短遊技中に「大当たり遊技」へ移行した場合に終了する。なお、本実施形態の遊技機１０では、時短遊技として、低確率時短遊技と高確率時短遊技の２種類が設けられている。高確率時短遊技では、低確率時短遊技よりも特別図柄当否判定で当りとなる確率が高くなっている。
【００２４】
大当り遊技の終了後に突入する時短遊技が低確率時短遊技と高確率時短遊技の何れに設定されるかは、当該大当り遊技中に行われるＶ入賞チャンスの結果によって決定される。Ｖ入賞チャンスでは、右側流下領域Ｒ３に設けられたＶ入賞部２１（図２）に遊技球が入球可能となる。具体的には、Ｖ入賞部２１は、可動翼片２１Ｈによって開閉される入球口２１Ａを有し、Ｖ入賞チャンスが行われると、入球口２１Ａが開放される。Ｖ入賞部２１の内部には、通常口とＶ確定口（共に図示せず）が設けられると共に、入球口２１Ａに入球した遊技球を通常口とＶ確定口の何れかに振り分ける振分機構（図示せず）が備えられている。そして、Ｖ入賞チャンスでＶ確定口に遊技球が入球すると、当該大当り遊技の終了後に突入する時短遊技が高確率時短遊技に設定される。Ｖ入賞チャンスでＶ確定口に遊技球が入球しなかった場合には、大当り遊技終了後の時短遊技として低確率時短遊技が設定される。このように、本実施形態では、大当り遊技として、Ｖ入賞チャンスでＶ確定口に入球するＶ通過大当りと、Ｖ確定口に入球しないＶ非通過大当りと、が設けられている。
【００２５】
なお、遊技機１０では、大当りとして、入球口２１Ａに入球した遊技球がＶ確定口に振り分けられ易い高確率Ｖ通過大当りと、Ｖ通過高確率大当りよりも入球口２１Ａに入球した遊技球がＶ確定口に振り分けられ難いＶ通過低確率大当りの２種類が設けられている。第１の始動入賞口１４Ａへの入球に基づく特別図柄当否判定での大当りは、所定の確率（例えば、１／２）でＶ通過高確率大当りとなる。第２の始動入賞口１４Ｂへの入球に基づく特別図柄当否判定での大当りは全て、Ｖ通過高確率大当りとなっている。
【００２６】
本実施形態の遊技機１０では、大当り遊技として、当該大当り遊技の開始から途中までの態様が上述した小当り遊技の態様と区別困難に構成された特殊大当り遊技が設けられている。図４〜５に示されるように、小当り遊技と特殊大当り遊技は、停止表示された特別図柄１３Ａ〜１３Ｃが特殊組合せ（図４（Ｂ）に示される特別図柄１３Ａ〜１３Ｃ組合せ）となったときに開始され、特別図柄１３Ａ〜１３Ｃの組合せからは区別困難となっている。
【００２７】
また、特別図柄当否判定の判定結果が小当りとなる場合と特殊大当りとなる場合には、表示画面１３Ｇで行われる判定演出が共通となっている。即ち、判定結果が小当り又は大当りである場合には、図４（Ａ）から図４（Ｂ）への変化に示されるように、特殊組合せとなる特別図柄１３Ａ〜１３Ｃが仮停止される。仮停止状態では、特別図柄１３Ａ〜１３Ｃは、上下方向に移動しないものの、完全には停止しておらず、例えば、左右に揺れている。特殊組合せの特別図柄１３Ａ〜１３Ｃが仮停止されると、図４（Ｂ）から図４（Ｃ）への変化に示されるように、特別図柄１３Ａ〜１３Ｃが表示画面１３Ｇの隅に縮小表示されると共に、表示画面１３Ｇの中央部に、特定入球口２０３（図３）に遊技球を通過させることを促す特定入球促し画像２１０（図４（Ｃ）では、「チャンス入球口を狙え！」というメッセージ）が表示される。仮停止状態の特別図柄１３Ａ〜１３Ｃは、特定入球促し画像２１０の表示中に完全に停止する。特別図柄１３Ａ〜１３Ｃが完全に停止すると、小当り遊技又は特殊大当り遊技が速やかに実行される。なお、特別図柄１３Ａ〜１３Ｃは、小当り遊技又は特殊大当り遊技が開始されるタイミングで非表示となる（図４（Ｄ））。
【００２８】
ここで、図３に示されるように、特定入球口２０３は、大入賞口１５に入球した遊技球が通過可能に構成されている。従って、特定入球促し画像２１０による促しは、大入賞口１５への入球を促すことになっている。具体的には、大入賞口１５に入球した遊技球が流下する排出流路２０１は、途中で２股に分岐していて、一方の分岐路２０２Ａに特定入球口２０３が設けられている。また、排出流路２０１の分岐部分には、排出流路２０１を流下してきた遊技球を一方の分岐路２０２Ａと他方の分岐路２０２Ｂの何れかに振り分ける振分部材２０５が備えられている。
【００２９】
特殊大当り遊技のときに表示画面１３Ｇで行われる大当り遊技演出（以下、「特殊大当り遊技演出」という。）は、その開始から途中までの部分が小当り遊技のときに表示画面１３Ｇで行われる小当り遊技演出と区別困難に構成されている。小当り遊技演出と特殊大当り遊技演出の詳細は以下のようになっている。
【００３０】
小当り遊技演出では、まず、判定演出のときに表示されていた特定入球促し画像２１０（図４（Ｄ））が継続して表示される。そして、図５（Ｄ）に示されるように、特別図柄当否判定の判定結果が小当りであることを示す小当り確定画像２１１が表示される。小当り確定画像２１１は、小当り遊技の終了まで表示される。そして、小当り遊技が終了すると、小当り遊技演出も終了し、表示画面１３Ｇの中央部には、特殊組合せの特別図柄１３Ａ〜１３Ｃが完全停止した状態で表示される（図５（Ｃ））。
【００３１】
特殊大当り遊技演出では、まず、判定演出のときに表示されていた特定入球促し画像２１０（図４（Ｄ））が継続して表示される。そして、図５（Ａ）に示されるように、特別図柄当否判定の判定結果が大当りであることを示す大当り確定画像２１２が表示される。大当り確定画像２１２は、所定時間だけ表示される。そして、所定時間が経過すると、他の大当り遊技で行われる大当り遊技演出と同様の大当り中画像２１３が表示される（図５（Ｂ））。大当り遊技が終了すると、特殊大当り遊技演出も終了し、表示画面の中央部には、特殊組合せの特別図柄１３Ａ〜１３Ｃが完全停止した状態で表示される（図５（Ｃ））。このように、特殊大当り遊技演出では、大当り確定画像２１２が表示されるまでの演出が、小当り遊技演出において小当り確定画像２１１が表示されるまでの演出と区別困難となっている。
【００３２】
また、本実施形態では、小当り遊技における大入賞口１５の開放パターンと、特殊大当り遊技において大当り確定画像２１２（図５（Ａ））が表示されるまでの大入賞口１５の開放パターンと、が区別困難に構成されている。小当り遊技及び特殊大当り遊技における大入賞口１５の開放パターンの詳細は以下のようになっている。
【００３３】
図７（Ａ）には、小当り遊技での大入賞口１５の開放パターンが示されている。同図に示されるように、小当り遊技が開始されると、小当りオープニング期間ＴＡ１を経て、大入賞口１５が開放時間ＴＡ２だけ開放される。そして、大入賞口１５が閉じてから小当りエンディング期間ＴＡ３が経過すると、小当り遊技が終了する。
【００３４】
図７（Ｂ）に示されるように、特殊大当り遊技では、１回目のラウンド遊技の途中までの大入賞口１５の開放パターンが、小当り遊技での大入賞口１５の開放パターンと同じになっている。具体的には、特殊大当り遊技が開始されると、特殊大当りオープニング期間ＴＢ１を経て、１回目のラウンド遊技が開始される。１回目のラウンド遊技では、大入賞口１５が第１開放時間ＴＢ２だけ開放される。次いで、ラウンド中閉塞時間ＴＢ３が経過した後、大入賞口１５が最大開放時間ＴＢ４を上限として再び開放される。１回目のラウンド遊技が終了すると、所定のインターバル期間Ｉ１を経て、２回目のラウンド遊技が開始される。大当りオープニング期間ＴＢ１は、小当りオープニング期間ＴＡ１と同じ長さになっている。第１開放時間ＴＢ２は、小当り遊技における開放時間ＴＡ２と同じ長さになっていて、１回のラウンドの終了に必要な数の遊技球が大入賞口１５へ入球困難な長さに設定されている。ラウンド中閉塞時間ＴＢ３は、小当りエンディング期間ＴＡ３より長くなっている。
【００３５】
なお、図７（Ａ）には、通常の遊技状態で小当りとなった場合の小当り遊技における大入賞口１５の開放パターンが示されていて、図７（Ｂ）には、通常の遊技状態で特殊大当りとなった場合の特殊大当りにおける大入賞口１５の開放パターンが示されている。また、図８（Ａ）には、時短遊技で小当りとなった場合の小当り遊技における大入賞口１５の開放パターンが示されていて、図８（Ｂ）には、時短遊技で特殊大当りとなった場合の特殊大当りにおける大入賞口１５の開放パターンが示されている。図７（Ａ）と図８（Ａ）の比較から明らかなように、時短遊技で小当りとなったときの小当り遊技の小当りオープニング期間ＴＡ１は、通常の遊技状態で小当りとなったときの小当り遊技の小当りオープニング期間ＴＡ１よりも短くなっている。また、図７（Ｂ）と図８（Ｂ）の比較から明らかなように、時短遊技で特殊大当りとなったときの特殊大当り遊技における特殊大当りオープニングＴＢ１は、通常の遊技状態で特殊大当りとなったときの特殊大当り遊技における特殊大当りオープニング期間ＴＢ１よりも短くなっている。
【００３６】
さて、本実施形態の遊技機１０では、図６（Ａ）〜６（Ｄ）の流れに示されるように、大当り遊技が終了してから次の大当り遊技が開始されるまでの間、直前の大当りに関する情報を表す印２２０が表示画面１３Ｇに表示される。印２２０は、大当り遊技が開始されると非表示となる。印２２０が表す情報の例としては、直前の大当りが第１の始動入賞口１４Ａと第２の始動入賞口１４Ｂの何れの始動入賞口への入球に基づくものであったかについての情報や、当該直前の大当りの大当り遊技中に行われたＶ入賞チャンスで遊技球がＶ確定口を通過したか否かについての情報が挙げられる。なお、印２２０は、例えば、四角形状に形成され、表示画面１３Ｇの隅部に表示される。
【００３７】
ここで、特別図柄当否判定の判定結果が特殊大当りである場合に、特殊大当り遊技において最初に大入賞口１５が開放されるタイミングで印２２０が非表示になっていると、表示画面１３Ｇに大当り確定画像２１２（図５（Ａ））が表示されるよりも前に、判定結果が大当りであることが遊技者に察知されてしまう。また、判定結果が小当りである場合に、小当り遊技において大入賞口１５が開放されたときに印２２０が表示されたままであると、表示画面１３Ｇに小当り確定画像２１１（図５（Ｄ））が表示されるよりも前に、判定結果が小当りであることが遊技者に察知されてしまう。即ち、印２２０の有無によって小当りと特殊大当りの先バレが発生し得る。
【００３８】
本実施形態の遊技機１０では、印２２０の有無による小当りと特殊大当りの先バレを防ぐべく、図４（Ｄ）→図５（Ｄ）→図５（Ｃ）の流れに示されるように、小当り遊技が実行されている間についても、大当り遊技が実行されている間と同様に、印２２０が非表示にされる。これにより、小当り確定画像２１１又は大当り確定画像２１２が表示されるまで、小当り遊技と特殊大当り遊技の区別が困難となり、小当りと特殊大当りの先バレが防がれる。なお、図４（Ｄ）→図５（Ａ）→図５（Ｂ）→図５（Ｃ）の流れでは、特殊大当り遊技が実行される際に印２２０が非表示にされる様子が示されている。印２２０は、小当り遊技及び大当り遊技の終了後に表示画面１３Ｇに再び表示される。
【００３９】
また、本実施形態の遊技機１０では、上述したように、大当たり遊技が開始されると、通常の遊技状態よりも普図当り遊技が実行され易い時短遊技が終了する。従って、時短遊技中では、普図当り遊技が実行され易く、回動扉１４Ｔが開放され易いのに対し、大当り遊技中では、普図当り遊技が実行され難く、回動扉１４Ｔが開放され難い。ここで、特殊大当りの開始直後に回動扉１４Ｔの開放動作から時短遊技が終了したことが遊技者に認識されると、表示画面１３Ｇに大当り確定画像２１２が表示されるよりも前に、判定結果が大当りであることが遊技者に察知されてしまう。また、小当り遊技の開始直後に回動扉１４Ｔの開放動作から時短遊技が継続していることが遊技者に認識されると、表示画面１３Ｇに小当り確定画像２１１が表示されるよりも前に、判定結果が小当りであることが遊技者に察知されてしまう。このように、時短遊技中に特殊大当り又は小当りとなった場合には、回動扉１４Ｔの開放動作から判定結果が先バレする可能性がある。
【００４０】
本実施形態の遊技機１０では、回動扉１４Ｔの開放動作による小当りと特殊大当りの先バレを防ぐべく、１回の普図当り遊技の実行時間が小当り遊技の実行時間よりも長くなっている。具体的には、図８（Ｃ）に示されるように、普図当り遊技が実行されると、普図当りオープニング期間ＴＣ１の経過後、予め設定された回動扉開放時間ＴＣ２だけ回動扉１４Ｔが開放される。そして、回動扉開放時間ＴＣ２が経過すると、普図当り遊技が終了する。図８（Ａ）と図８（Ｃ）の比較から明らかなように、普図当り遊技の実行時間（即ち、普図当りオープニング期間ＴＣ１と回動扉開放時間ＴＣ２の合計）は、小当り遊技の実行時間（即ち、小当りオープニング期間ＴＡ１と開放時間ＴＡ２と小当りエンディング期間ＴＡ３の合計）よりも長くなっている。なお、本実施形態では、回動扉開放時間ＴＣ２が小当り遊技の実行時間よりも長くなっている。
【００４１】
このように、遊技機１０では、普図当りの実行時間が小当り遊技の実行時間よりも長くなっているので、例えば、図８（Ａ），８（Ｃ）の例に示されるように、小当り遊技より先に開始された普図当り遊技が終了するまでの間に当該小当り遊技が終了するケースが増える。その結果、小当り遊技が開始されてから小当り確定画像２１１が表示されるまでの間に、回動扉１４Ｔの開放動作から時短遊技が継続していることが認識され難くなる。また、同様にして、特殊大当り遊技が実行される場合にも、大当り確定画像２１２が表示されるまでの間に、回動扉１４Ｔの開放動作から時短遊技が終了したことが認識され難くなる。以上により、遊技機１０では、回動扉１４Ｔの開放動作による小当りと特殊大当りの先バレを抑制することが可能となる。
【００４２】
また、本実施形態の遊技機１０では、上述のように、特定入球口２０３と第２の始動入賞口１４Ｂとが別に設けられていて、互いに離れて配置されている。従って、特別図柄１３Ａ〜１３Ｃが特殊組合せで仮停止したときに、遊技者の意識を特定入球口２０３に向けさせることで、回動扉１４Ｔから遊技者の意識をそらさせることが可能となり、回動扉１４Ｔの開放動作による小当りと特殊大当りの先バレを抑制することが可能となる。しかも、表示画面１３Ｇに特定入球口２０３への入球を促す表示が表示されるので、遊技者の意識を特定入球口２０３に引き付け易くすることが可能となり、回動扉１４Ｔの開放動作による小当りと特殊大当りの先バレを一層抑制することが可能となる。
【００４３】
また、本実施形態では、時短遊技で成立した小当りと特殊大当りにおけるオープニング期間ＴＡ１，ＴＢ１が、通常の遊技状態で成立した小当りと特殊大当りにおけるオープニング期間ＴＡ１，ＴＢ１よりも短くなっているので、普図当り遊技の実行時間（詳細には、回動扉開放時間ＴＣ２）よりも小当り遊技の実行時間を長くしつつ、小当り遊技と特殊大当り遊技を区別困難に構成することが可能となっている。
【００４４】
次に、上記構成を達成するための遊技機１０の電気的な構成を、図９に基づいて説明する。同図における符号５０は、主制御回路５０であって、ＣＰＵ５０Ａ、ＲＡＭ５０Ｂ、ＲＯＭ５０Ｃ及び複数のカウンタを備えたマイクロコンピュータと、該マイクロコンピュータとサブ制御回路５２を結ぶ入出力回路と、大入賞口１５等が接続された中継回路及び払出制御回路等を結ぶ入出力回路とを備え、遊技に関わる主制御を行う。ＣＰＵ５０Ａは、当否判定部、制御部、演算部、各種カウンタ、各種レジスタ、各種フラグ等を備え、演算制御を行う他、特別図柄当りや普通図柄当りに関する乱数等も生成し、制御信号をサブ制御回路５２等へ出力（送信）可能に構成されている。ＲＡＭ５０Ｂは、ＣＰＵ５０Ａで生成される各種乱数値用の記憶領域、各種データを一時的に記憶する記憶領域やフラグ、ＣＰＵ５０Ａの作業領域を備える。ＲＯＭ５０Ｃには、制御データ、特別図柄及び普通図柄の変動表示に関する図柄変動データ等が書き込まれている他、特別図柄当り及び普通図柄当りの判定値等が書き込まれている。なお、大当り遊技及び小当り遊技における大入賞口１５の開放パターンや普図当り遊技における回動扉１４Ｔの開放パターンは、ＲＯＭ５０Ｃに記憶されている。
【００４５】
サブ制御回路５２は、主制御回路５０と同様に、ＣＰＵ５２Ａ、ＲＡＭ５２Ｂ、ＲＯＭ５２Ｃ及び複数のカウンタを備えたマイクロコンピュータと、該マイクロコンピュータと主制御回路５０を結ぶ入出力回路と、表示制御回路５４等を結ぶ入出力回路を備えている。ＣＰＵ５２Ａは、制御部、演算部、各種カウンタ、各種レジスタ、各種フラグ等を備え、演算制御を行う他、制御信号を表示制御回路５４等へ出力（送信）可能に構成されている。ＲＡＭ５２Ｂは、各種データの記憶領域とＣＰＵ５２Ａによる作業領域を有している。ＲＯＭ５２Ｃには、特別図柄の変動パターンテーブル、各種演出のデータ等が記憶されている。
【００４６】
表示制御回路５４は、表示装置１３に設けられていて、ＣＰＵ５４Ａ、ＲＡＭ５４Ｂ及びＲＯＭ５４Ｃを有している。ＣＰＵ５４Ａは、サブ制御回路５２からの制御信号に基づき、画像データをＲＯＭ５４Ｃから取得し、その画像データに基づいて表示画面１３Ｇに画像を表示する。小当りと特殊大当りで共通して表示される判定演出の画像データ、小当り確定画像２１１と大当り確定画像２１２のデータ、印２２０の画像データ等は、ＲＯＭ５４Ｃに記憶されている。
【００４７】
以上説明した本実施形態の遊技機１０によれば、以下の効果を奏することが可能となる。
【００４８】
本実施形態の遊技機１０では、大当り遊技として、その大当り遊技の開始から途中までの態様が小当り遊技の態様と区別困難に構成された特殊大当り遊技を備えている。ここで、大当り遊技の終了から表示画面１３Ｇに表示される印２２０が、次の大当り遊技が開始されるときに非表示にされる。そして、遊技機１０では、小当り遊技中にも印２２０が非表示となるので、印２２０の有無によって、特別図柄当否判定の判定結果が小当りか特殊大当りを遊技者に認識されるまでに（即ち、小当り確定画像２１１と大当り確定画像２１２の何れかが表示されるまでに）、判定結果が先バレすることが抑制される。
【００４９】
また、遊技機１０では、普図当り遊技が時短遊技中には実行され易く、大当り遊技中には実行され難くなっているので、時短遊技で小当り又は特殊大当りになると、回動扉１４Ｔの動作態様から小当りと特殊大当りが先バレすることが想定される。しかしながら、遊技機１０では、普図当り１回あたりの回動扉１４Ｔの動作時間（詳細には、回動扉１４Ｔの開放時間）が小当り遊技の実行時間よりも長くなっているので、回動扉１４Ｔの動作態様から小当りと特殊大当りが先バレすることが抑制される。
【００５０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５１】
（１）上記実施形態では、特殊大当り遊技において大当り確定画像２１２が表示されるまでの大入賞口１５の開放パターンは、小当り遊技において小当り確定画像２１１が表示されるまでの大入賞口１５の開放パターンと同じに構成されていたが、小当り遊技での開放パターンと区別困難であれば、例えば、大入賞口１５が開放されるまでの時間（小当りオープニング期間ＴＡ１、大当りオープニング期間ＴＢ１）や大入賞口１５の開放時間（開放時間ＴＡ２、第１開放時間ＴＢ２）が異なっていてもよい。
【００５２】
（２）上記実施形態では、印２２０が表す情報は、直前の大当りに関する情報であったが、例えば、前回の大当りの終了後から行われた特別図柄当否判定の回数であってもよいし、特定の判定演出が実行された回数であってもよい。
【００５３】
（３）上記実施形態において、特殊大当り遊技演出における大当り確定画像２１２が表示されてからの演出は、他の大当り遊技で行われる演出と異なっていてもよい。
【００５４】
（４）上記実施形態において、印２２０が表す情報は、音声により出力されてもよいし、遊技機１０の前面枠１０Ｚに備えられたランプの点灯態様によって出力されてもよいし、役物部材が移動することによって出力されてもよい。
【００５５】
（５）上記実施形態では、小当りオープニング期間ＴＡ１及び大当りオープニング期間ＴＢ１が、時短遊技で小当り又は特殊大当りになった場合には、通常の遊技状態で小当り又は特殊大当りになった場合よりも、短くなっていたが、同じであってもよい。この場合においても、上記実施形態のように、普図当り遊技の実行時間を小当り遊技の実行時間よりも長くすることで、回動扉１４Ｔの動作態様から小当りと特殊大当りが先バレすることが抑制される。
【００５６】
（６）上記実施形態において、普図当り遊技の実行時間（普図当りオープニング期間ＴＣ１と回動扉開放時間ＴＣ２の合計）が小当り遊技の実行時間よりも長くなっている構成として、回動扉開放時間ＴＣ２が小当り遊技の実行時間よりも短くなっている構成であってもよい。
【００５７】
（７）上記実施形態では、普図当り遊技の実行時間が、小当り遊技の実行時間よりも長くなっていたが、同じでもよいし、短くてもよい。これら場合においても、上記実施形態のように、小当りオープニング期間ＴＡ１及び大当りオープニング期間ＴＢ１を、通常の遊技状態で小当り又は特殊大当りになった場合よりも、時短遊技で小当り又は特殊大当りになった場合の方が短くなるように設定することで、遊技者の意識を大入賞口１５へ早く引き付けることが可能となり、回動扉１４Ｔの動作態様から小当りと特殊大当りが先バレすることが抑制される。
【００５８】
（８）上記実施形態において、普図当り遊技の実行時間が、通常の遊技状態での普図当りよりも、時短遊技での普図当りのときの方が長くなっていてもよい。この場合、普図当り遊技の実行時間が、小当り遊技の実行時間に比べて、通常の遊技状態のときには短くなっていてもよい。なお、時短遊技での普図当りのときに普図当り遊技の実行時間を長くする場合、普図当りオープニング期間ＴＣ１を長くしてもよいし、回動扉開放時間ＴＣ２を長くしてもよい。
【００５９】
（９）上記実施形態において、普図当り遊技が、実行時間が互いに異なる複数種類用意されていてもよい。この場合、通常の遊技状態よりも時短遊技の方が、実行時間が長い普図当り遊技が実行され易くなっていてもよい。
【００６０】
（１０）上記実施形態において、特定入球口２０３への入球を促す表示（上記実施形態では、特定入球促し画像２１０）が、特定入球口２０３を模した画像を含む構成となっていてもよいし、特定入球口２０３の位置を示す画像や文字を含む構成であってもよい。また、上記実施形態において、特定入球促し画像２１０が表示画面１３Ｇに表示されるときに、特定入球口２０３を構成する部位やその周辺の部位が光る構成となっていてもよい。これらの構成によれば、遊技者の意識を特定入球口２０３に引き付け易くすることが可能となり、回動扉１４Ｔの開放動作による小当りと特殊大当りの先バレを一層抑制することが可能となる。
【００６１】
＜付記１＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００６２】
＜特徴Ａ群＞
以下の特徴Ａ群は、「小当りとなったときに小当り遊技が実行され、大当りとなったときに大当り遊技が実行される」遊技機に関し、「特許文献Ａ（特開２０１０−３５６１４号（段落［００８２］））の遊技機では、一部の大当り遊技における大当り遊技開始から途中までの態様が小当り遊技の態様と区別困難に構成されている。」という背景技術について、「特許文献Ａの遊技機では、大当り遊技の開始に伴って表示部に表示されていた情報が消失すると、その情報の有無によって、大当りと小当りの何れに当選したかが先バレするという問題があった。」という課題をもってなされたものである。
【００６３】
［特徴Ａ１］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
前記大当り遊技には、その大当り遊技の開始から途中までの態様が前記小当り遊技の態様と区別困難に構成される特殊大当り遊技が含まれていて、
前記大当り遊技の終了後から次の大当り遊技の開始までの間、遊技者に認識可能な情報（印２２０が表す情報）を出力する出力手段（表示装置１３）を有し、
前記出力手段は、前記小当り遊技の開始から終了までの間、前記情報の出力を一旦停止し、前記小当り遊技の終了後に再び前記情報を出力する。
【００６４】
本特徴に示す構成によれば、大当りと小当りの先バレを抑制することが可能となる。
【００６５】
［特徴Ａ２］
特徴Ａ１に記載の遊技機において、
前記出力手段が出力する情報は、直前の前記大当り遊技に関する情報である。
【００６６】
本特徴に示す構成では、大当り遊技の終了後、次の大当り遊技が開始されるまでの間、直前の大当り遊技に関する情報を遊技者に認識させつつ、大当りと小当りの先バレを抑制可能となる。
【００６７】
［特徴Ａ３］
特徴Ａ１又はＡ２に記載の遊技機において、
前記特殊大当り遊技の開始から途中まで表示部（表示画面１３Ｇ）に表示される演出が前記小当り遊技で前記表示部に表示される演出と区別困難となるように構成され、
前記出力手段は、前記情報を前記表示部に出力する。
【００６８】
本特徴に示す構成によれば、表示部の表示から、大当りと小当りの先バレを抑制することが可能となる。
【００６９】
［特徴Ａ４］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
前記大当り遊技には、その大当り遊技の開始から途中までの態様が前記小当り遊技の態様と区別困難に構成される特殊大当り遊技が含まれていて、
遊技者に認識可能な情報（印２２０が表す情報）を出力する出力手段（表示装置１３）を有し、
前記出力手段は、前記特殊大当り遊技が実行される場合と前記小当り遊技が実行される場合との間で区別困難な態様で前記情報を出力する。
【００７０】
本特徴に示す構成では、大当りと小当りの先バレを抑制することが可能となる。
【００７１】
［特徴Ａ５］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
前記大当り遊技には、その大当り遊技の開始から途中までの態様が前記小当り遊技の態様と区別困難に構成される特殊大当り遊技が含まれていて、
前記大当り遊技の開始から終了までの間、遊技者に認識可能な情報（印２２０が表す情報）の出力を停止する出力停止手段（表示制御回路５４）を有し、
前記出力停止手段は、前記小当り遊技の開始から終了までの間、前記情報の出力を停止する。
【００７２】
本特徴に示す構成によれば、大当りと小当りの先バレを抑制することが可能となる。
【００７３】
［特徴Ａ６］
遊技に関する当否判定（特別図柄当否判定）を行い、前記当否判定の結果が小当りであるときに小当り遊技を実行し、前記当否判定の結果が大当りであるときに大当り遊技を実行する遊技機において、
前記大当り遊技には、その大当り遊技中に表示部（表示画面１３）で行われる大当り遊技演出において、前記小当り遊技中に前記表示部で行われる小当り遊技演出の内容と区別困難な特殊演出が前記大当り遊技の開始から途中まで実行される特殊大当り遊技が含まれていて、
前記大当り遊技の終了後から次の大当り遊技の開始までの間、遊技者に認識可能な情報（印２２０が表す情報）を前記表示部に表示する表示手段（表示装置１３）を有し、
前記表示手段は、前記小当り遊技の開始から終了までの間、前記情報の表示を一旦停止し、前記小当り遊技の終了後に再び前記情報を表示する。
【００７４】
本特徴に示す構成によれば、大当りと小当りの先バレを抑制することが可能となる。
【００７５】
［特徴Ａ７］
遊技に関する当否判定（特別図柄当否判定）を行い、前記当否判定の結果が小当りであるときに小当り遊技を実行し、前記当否判定の結果が大当りであるときに大当り遊技を実行する遊技機において、
前記大当り遊技には、その大当り遊技中に表示部（表示画面１３Ｇ）で行われる大当り遊技演出において、前記小当り遊技中に前記表示部で行われる小当り遊技演出の内容と区別困難な特殊演出が前記大当り遊技の開始から途中まで実行される特殊大当り遊技が含まれていて、
前記大当り遊技の開始から終了までの間、遊技者に認識可能な情報（印２２０が表す情報）の表示を停止する表示停止手段（表示制御回路５４）を有し、
前記表示停止手段は、前記小当り遊技の開始から終了までの間、前記情報の表示を停止する。
【００７６】
本特徴に示す構成によれば、大当りと小当りの先バレを抑制することが可能となる。
【００７７】
なお、特徴Ａ４〜Ａ７に示す構成に、特徴Ａ２〜Ａ３に示す構成が組み合わされてもよい。
【００７８】
＜特徴Ｂ群＞
以下の特徴Ｂ群は、「小当りとなったときに小当り遊技が実行され、大当りとなったときに大当り遊技が実行される」遊技機に関し、「特許文献Ｂ（特開２０１０−３５６１４号（段落［００８２］））の遊技機では、一部の大当り遊技における大当り遊技開始から途中までの態様が小当り遊技の態様と区別困難に構成されている。」という背景技術について、「特許文献Ｂの遊技機では、大当り遊技の開始を契機にして始動入賞口を開閉する開閉部材の動作態様が変化することがあり、開閉部材の動作から大当りと小当りの何れに当選したかが先バレするという問題があった。」という課題をもってなされたものである。
【００７９】
［特徴Ｂ１］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
前記大当り遊技には、その大当り遊技の開始から途中までの態様が前記小当り遊技の態様と区別困難に構成される特殊大当り遊技が含まれていて、
可変条件（普通図柄当否判定での当り）が成立したときに、第１状態（閉位置）から所定期間だけ第２状態（開位置）に変化する可変部材（回動扉１４Ｔ）を有し、
遊技状態には、通常遊技状態と、前記通常遊技状態よりも前記可変条件の成立が容易な特別遊技状態（時短遊技）と、が設けられ、
前記特別遊技状態の終了条件には、前記大当り遊技の開始が含まれ、
前記可変部材の状態が、前記特殊大当り遊技が実行される場合と前記小当り遊技が実行される場合との間で区別困難となっている。
【００８０】
本特徴に示す構成によれば、大当りと小当りの先バレを抑制することが可能となる。
【００８１】
［特徴Ｂ２］
特徴Ｂ１に記載の遊技機（遊技機１０）において、
遊技球が入球可能な始動入球部（第２の始動入賞口１４Ｂ）と、
前記可変条件としての開放条件が成立したときに、前記始動入球部への入球を規制する閉状態から前記始動入球部への入球を許容する開状態に前記所定期間だけ変化する前記可変部材としての開閉部材と、を有し、
１回の前記開放条件の成立についての前記開閉部材の動作時間（回動扉１４Ｔの開放時間）が、前記小当り遊技の実行時間より長くなっている。
【００８２】
本特徴に示す構成では、開閉部材の動作によって大当りと小当りの先バレを抑制することが可能となる。
【００８３】
［特徴Ｂ３］
特徴Ｂ２に記載の遊技機において、
前記小当り遊技の実行中と前記大当り遊技の実行中に開放される大入賞部（大入賞口１５）を有し、
前記特殊大当り遊技の開始から途中までの前記大入賞部の開放パターンは、前記小当り遊技における前記大入賞部の開放パターンと区別困難になっている。
【００８４】
本特徴に示す構成によれば、大入賞部の開放パターンによっても大当りと小当りの先バレを抑制することが可能となる。
【００８５】
［特徴Ｂ４］
特徴Ｂ３に記載の遊技機において、
前記特別遊技状態で前記小当りとなったときの前記小当り遊技において前記大入賞部が最初に開放されるまでの時間である特別時小当りオープニング時間（小当りオープニング期間ＴＡ１）は、前記通常遊技状態で前記小当りとなったときの前記小当り遊技において前記大入賞部が最初に開放されるまでの時間である通常時小当りオープニング時間よりも短い。
【００８６】
本特徴に示す構成によれば、小当り遊技の実行時間を短くすることが可能となり、小当り遊技の実行時間に対して開閉部材の動作時間を長くすることが容易となる。
【００８７】
［特徴Ｂ５］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
前記大当り遊技には、その大当り遊技の開始から途中までの態様が前記小当り遊技の態様と区別困難に構成される特殊大当り遊技が含まれていて、
遊技状態には、通常遊技状態と特別遊技状態（時短遊技）とが設けられ、
前記特別遊技状態の終了条件には、前記大当り遊技の開始が含まれ、
前記特殊大当り遊技が実行される場合に遊技状態の変化が遊技者に認識困難に構成されている。
【００８８】
本特徴に示す構成では、大当りと小当りの先バレを抑制することが可能となる。
【００８９】
［特徴Ｂ６］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
可変条件（普通図柄当否判定での当り）が成立したときに、第１状態（閉位置）から所定期間だけ第２状態（開位置）に変化する可変部材（回動扉１４Ｔ）を有し、
前記大当り遊技には、その大当り遊技の開始から途中までの態様が前記小当り遊技の態様と区別困難に構成される特殊大当り遊技が含まれ、
前記可変条件が成立する確率は、前記大当り遊技の開始を契機に変化することがあり、
前記可変部材の動作が、前記特殊大当り遊技が実行される場合と前記小当り遊技が実行される場合との間で区別困難となっている。
【００９０】
本特徴に示す構成によれば、大当りと小当りの先バレを抑制することが可能となる。
【００９１】
［特徴Ｂ７］
遊技に関する当否判定（特別図柄当否判定）を行い、前記当否判定の結果が小当りであるときに小当り遊技を実行し、前記当否判定の結果が大当りであるときに大当り遊技を実行する遊技機（遊技機１０）において、
遊技球が入球可能な始動入球部（第２の始動入賞口１４Ｂ）と、
開放条件が成立したときに、前記始動入球部への入球を規制する閉位置から前記始動入球部への入球を許容する開位置に所定期間だけ配置される開閉部材（回動扉１４Ｔ）と、を有し、
前記当否判定は、前記始動入球部への入球に起因して行われるものであり、
遊技状態には、通常遊技状態と、前記通常遊技状態よりも前記開放条件の成立が容易な特別遊技状態（時短遊技）と、が設けられると共に、前記特別遊技状態の終了条件には、前記大当り遊技の開始が含まれていて、
前記大当り遊技には、その大当り遊技の開始から途中までの態様が前記小当り遊技の態様と区別困難に構成される特殊大当り遊技が含まれ、
前記開閉部材の動作が、前記特殊大当り遊技が実行される場合と前記小当り遊技が実行される場合との間で区別困難となっている。
【００９２】
本特徴に示す構成によれば、大当りと小当りの先バレを抑制することが可能となる。
【００９３】
［特徴Ｂ８］
遊技に関する当否判定（特別図柄当否判定）を行い、前記当否判定の結果が小当りであるときに小当り遊技を実行し、前記当否判定の結果が大当りであるときに大当り遊技を実行する遊技機において、
遊技球が入球可能な始動入球部（第２の始動入賞口１４Ｂ）と、
開放条件（普通図柄当否判定での当り）が成立したときに、前記始動入球部への入球を規制する閉位置から前記始動入球部への入球を許容する開位置に所定期間だけ配置される開閉部材（回動扉１４Ｔ）と、を有し、
前記当否判定は、前記始動入球部への入球に起因して行われるものであり、
前記大当り遊技には、その大当り遊技の開始から途中までの態様が前記小当り遊技の態様と区別困難に構成される特殊大当り遊技が含まれ、
前記開放条件が成立する確率は、前記大当り遊技の開始を契機に変化することがあり、
前記開閉部材の動作が、前記特殊大当り遊技が実行される場合と前記小当り遊技が実行される場合との間で区別困難となっている。
【００９４】
本特徴に示す構成によれば、大当りと小当りの先バレを抑制することが可能となる。
【００９５】
なお、特徴Ｂ５〜Ｂ８に示す構成に、特徴Ｂ２〜Ｂ４に示す構成が組み合わされてもよい。
【符号の説明】
【００９６】
１０    遊技機
１３Ｇ    表示画面
１４Ｂ    第１の始動入賞口
１４Ｂ    第２の始動入賞口
１５    大入賞口
５０    主制御回路
５２    サブ制御回路
２２０    印
【図１】
2018139895.tif 000003
【図２】
2018139895.tif 000004
【図３】
2018139895.tif 000005
【図４】
2018139895.tif 000006
【図５】
2018139895.tif 000007
【図６】
2018139895.tif 000008
【図７】
2018139895.tif 000009
【図８】
2018139895.tif 000010
【図９】
2018139895.tif 000011